(57)【要約】【課題】  歯科印象用トレーに磁石あるいは磁性体を取り付け、磁力を利用して印象用トレー自体を固定するための固定装置を備えた歯科印象用トレーを提供する。【解決手段】  歯科印象用トレーの構造は印象材を受容保持する体部とトレーを手で操作する柄部からなる。印象材を受容保持する体部は印象材保持凹部を形成し底壁、内・外側壁を備える。  本発明に係る歯科印象用トレーは、磁石あるいは磁性体を用いた固定装置をトレー印象材保持凹部の底壁の外側もしくは柄部に取り付け、磁力を利用して印象用トレー自体を固定できるようにしたものである。  印象用トレーに取り付けられた磁石あるいは磁性体の固定装置の磁力により、磁石あるいは磁性体のステーや板に印象用トレーを吸着固定することができる。【選択図】図１
2014210150.tif 000002
【特許請求の範囲】
【請求項１】
磁石あるいは磁性体を固定装置として備えた歯科印象用トレー
【請求項２】
歯科印象用トレーに磁石あるいは磁石体を用いた固定装置をトレー印象材保持凹部の底壁の外側もしくは柄部に取り付け、磁力を利用して印象用トレー自体を固定できるようにしたもの。
【発明の詳細な説明】
【技術分野】
【０００１】  本発明は、口腔内の歯や歯茎の型を取るための歯科用印象具に関し、特に研究模型の製作、個人トレーの製作、あるいは冠橋義歯、有床義歯を作成するために、有歯顎あるいは無歯顎の印象採得に使用される上下顎歯列を印象するための磁石あるいは磁性体の固定装置を備えた歯科印象用トレーに関するものである。
【背景技術】
【０００２】  歯科診療において歯列、支台、その隣接する周囲組織の形を正確に写しとる印象材としてアルジネート、シリコンラバー、ポリサルファイドラバー、酸化亜鉛ユージノールペースト、コンパウンド等が使用されるが、この印象材を口腔内に運び流動することなく、適切な場所に硬化まで位置し、印象硬化後も変形しないように印象材を保持する器具が印象用トレーである。
印象用トレーは、印象材を受容保持する箱型あるいは盆形の体部とトレーを手で操作する柄部との二つの部分からなっている。
一般に、個人トレーを用いた印象を除いて予備印象、本印象ともに既製トレーが用いられている。そして印象用トレーの具備すべき条件として、患者の口腔内に合わせて屈曲等のある程度の調整が可能であること、口腔内からの撤去時に印象が変形しないようにある程度の剛性を有すること、印象材を石膏硬化後まで保持できることである。
印象用トレー自体は金属あるいはプラスチックにより製作され、印象材をトレーに密着させるため多数の保持孔や溝が付与されている。そして、各トレーは患者の歯列に合わせて３〜５種類の異なる寸法、形態のものが、また用途に応じて無歯顎用、有歯顎用、片顎用、前歯用、小児用、体部と柄部の取り付け部が回転するものが用意されている。
印象用トレーの使用法としては、印象材を用いて口腔内の歯型や顎堤の形態を取り、そこに石膏を流し込んで硬化を待ち、口腔内の歯型や顎堤の模型を作製することであるが、印象した後、流動性のある石膏が硬化するまで流れ出ないように印象用トレーを安定に水平固定する必要があった。
しかしながら、既製のどの印象用トレーにもトレー自体を安定して固定する装置が備わっていないのが現状である。
【先行技術文献】
【０００３】
【特許文献】
【非特許文献】
【発明の概要】
【発明が解決しようとする課題】
【０００４】  既存の歯科印象用トレーはトレー自体に固定装置がついてないため、歯型を取って石膏を流した後に石膏が硬化するまでの間、トレーを安定に水平固定するのが難しかった。
本発明は印象用トレーに磁石あるいは磁性体を取り付け、磁力を利用して印象用トレー自体を固定するための固定装置を備えた歯科印象用トレーを提供することである。
【課題を解決するための手段】
【０００５】  本発明では上記目的を達成するために、次の技術手段を講じている。
一般に既製の歯科印象用トレーの構造は印象材を受容保持する体部とトレーを手で操作する柄部からなる。印象材を受容保持する体部は印象材保持凹部を形成し底壁、内・外側壁を備ええる。また底壁、内・外側壁の全面にわたって印象材との相対移動を防止する多数の印象材保持孔もしくは溝を具備している。しかし既製の印象用トレーにはトレー自体を固定するための固定装置が備わっていない。
本発明は歯科印象用トレーに磁石あるいは磁性体を用いた固定装置をトレー印象材保持凹部の底壁の外側もしくは柄部に取り付け、磁力を利用して印象用トレー自体を固定できるようにしたものである。
印象用トレーに取り付けられた磁石あるいは磁性体の固定装置の磁力により、磁石あるいは磁性体のステーや板に印象用トレーを吸着固定することができる。
【発明の効果】
【０００６】  本発明の印象用トレーは、磁力によりワンタッチで磁石あるいは磁性体のステーなどに安定して水平固定することによって、歯型を取った印象材から硬化前の流動性のある石膏が流れでないようにすることができる。
また１人の患者の上下の対合しあう歯型や顎堤の形態の印象採得した時に、極性の違う磁石をそれぞれ上下の印象用トレーに用いれば磁力により合わせてワンセットにすることできるため、他の人の印象採得した印象用トレーと間違えないようにできる。
また印象採得した後、硬化前の流動性のある石膏を印象用トレーの印象材の歯型の中にバイブレーターで振動させながら流し込む時に、印象用トレーを磁力でバイブレーターに固定することができ、両手を使って石膏を流し込むことができる。
また印象用トレーが未使用の時の保管方法として、磁石あるいは磁性体の板などに磁力で吸着固定させ整列して保管できる。
【図面の簡単な説明】
【０００７】
【図１】本発明の歯科印象用トレーの下顎の全顎用トレーの斜視図である。
【図２】本発明の歯科印象用トレーの片顎用トレーの斜視図である。
【図３】本発明の歯科印象用トレーの体部と柄部の取り付け部が回転するトレーの斜視図である。
【発明を実地するための形態】
【０００８】  以下、本発明の実地の形態について、図面を参照しつつ詳細に説明すれば図１において下顎の全顎用の歯科印象用トレー（１）の構造は、印象材を受容保持する体部（２）と印象用トレーを手で操作する柄部（６）からなる。印象材を受容保持する体部（２）は印象材保持凹部を形成し底壁（３）、内側壁（４）、外側壁（５）を備ええる。また底壁（３）、内側壁（４）、外側壁（５）の全面にわたって印象材との相対移動を防止する多数の印象材保持孔（８）を具備している。歯科印象用トレーのトレー印象材保持凹部の底壁（３）の外側もしくは柄部（６）に磁石あるいは磁性体（７）を用いた固定装置を取り付け、磁力を利用して下顎の全顎用の歯科印象用トレー（１）自体を固定できるようにしたものである。
図２において片顎用の歯科印象用トレー（９）の構造は、印象材を受容保持する体部（２）と印象用トレーを手で操作する柄部（６）からなる。印象材を受容保持する体部（２）は印象材保持凹部を形成し底壁（３）、内側壁（４）、外側壁（５）を備ええる。また底壁（３）、内側壁（４）、外側壁（５）の全面にわたって印象材との相対移動を防止する多数の印象材保持孔（８）を具備している。歯科印象用トレーのトレー印象材保持凹部の底壁（３）の外側もしくは柄部（６）に磁石あるいは磁性体（７）を用いた固定装置を取り付け、磁力を利用して片顎用の歯科印象用トレー（９）自体を固定できるようにしたものである。
図３において体部と柄部の取り付け部が回転する歯科印象用トレー（１０）の構造は、印象材を受容保持する体部（２）とトレーを手で操作する柄部（６）からなる。印象材を受容保持する体部（２）は印象材保持凹部を形成し底壁（３）、内側壁（４）、外側壁（５）を備ええる。また底壁（３）、内側壁（４）、外側壁（５）の全面にわたって印象材との相対移動を防止する多数の印象材保持孔（８）を具備している。歯科印象用トレーの柄部（６）に円形の磁石あるいは磁性体（１１）を用いた固定装置を取り付け、磁力を利用して体部と柄部の取り付け部が回転する歯科印象用トレー（１０）自体を固定できるようにしたものである。
【符号の説明】
【０００９】１  下顎の全顎用の歯科印象用トレー
２  体部
３  底壁
４  内側壁
５  外側壁
６  柄部
７  磁石あるいは磁性体
８  印象材保持孔
９  片顎用の歯科印象用トレー
１０  体部と柄部の取り付け部が回転する歯科印象用トレー
１１  円形の磁石あるいは磁性体
【図１】
2014210150.tif 000003
【図２】
2014210150.tif 000004
【図３】
2014210150.tif 000005
【手続補正書】
【提出日】平成25年5月23日(2013.5.23)
【手続補正１】
【補正対象書類名】特許請求の範囲
【補正対象項目名】請求項２
【補正方法】変更
【補正の内容】
【請求項２】
歯科印象用トレーに磁石あるいは磁性体を用いた固定装置をトレー印象材保持凹部の底壁の外側もしくは柄部に取り付け、磁力を利用して印象用トレー自体を固定できるようにしたもの。